(57)【要約】【課題】置き場のスペースを効率良く利用することにより、立案した生産計画を精度良く実行することができる置き場管理装置を提供すること。【解決手段】工程で処理する部材を、一時的に積んでおく置き場を管理する置き場管理装置であって、部材を積む置き場を示す情報と、処理予定期間とを対応付けて記憶する置き場情報記憶部と、部材を工程で処理する予定日である処理予定日が属する処理予定期間と対応付けて、置き場情報記憶部が記憶する情報が示す置き場を、部材を積む置き場をとする部材配置決定部とを具備することを特徴とする。【選択図】図１
2013242722.tif 000002
【特許請求の範囲】
【請求項１】
工程で処理する部材を、一時的に積んでおく置き場を管理する置き場管理装置であって、
前記部材を積む置き場を示す情報と、処理予定期間とを対応付けて記憶する置き場情報記憶部と、
前記部材を工程で処理する予定日である処理予定日が属する処理予定期間と対応付けて、前記置き場情報記憶部が記憶する情報が示す置き場を、前記部材を積む置き場とする部材配置決定部と
を具備することを特徴とする置き場管理装置。
【請求項２】
置き場情報記憶部が記憶する処理予定期間のうち、最も遅い処理予定期間には期間の終端がなく、
前記部材を工程で処理した結果、空の置き場が発生したときは、前記最も遅い処理予定期間に期間の終端を設定し、該設定した期間の終端以降を、前記空の置き場の処理予定期間として設定し、前記置き場情報記憶部に記憶させる処理予定期間更新部を具備すること
を特徴とする請求項１に記載の置き場管理装置。
【請求項３】
前記部材を示す情報と、該部材が積まれている置き場を示す情報とを対応付けて記憶する部材情報記憶部と、
当日が属する処理予定期間と対応付けて前記置き場情報記憶部が記憶する置き場を示す情報を読み出し、該読み出した置き場を示す情報と対応付けて前記部材情報記憶部が記憶する情報が示す部材を、工程で処理する部材とする処理部材決定部と
を具備することを特徴とする請求項１に記載の置き場管理装置。
【請求項４】
前記置き場の優先順位を外部から取得し、該優先順位に基づき、前記置き場各々の処理予定期間を決定し、前記置き場情報記憶部に記憶させる処理予定期間決定部を具備することを特徴とする請求項３に記載の置き場管理装置。
【請求項５】
優先して工程で処理すべき部材を示す優先処理情報を外部から取得する優先処理情報取得部を具備し、
前記処理部材決定部は、前記部材情報を参照して、前記取得した優先処理情報が示す部材と対応付けられた置き場を示す情報を取得し、該置き場を示す情報と対応付けられた情報が示す部材を、工程で処理する部材とすること
を特徴とする請求項３に記載の置き場管理装置。
【請求項６】
工程で処理する部材を、一時的に積んでおく置き場を管理する置き場管理装置における置き場管理方法であって、
前記置き場管理装置が、前記部材を工程で処理する予定日である処理予定日が属する処理予定期間と対応付けて、置き場情報記憶部が記憶する情報が示す置き場を、前記部材を積む置き場をとする第１の過程
を有することを特徴とする置き場管理方法。
【請求項７】
工程で処理する部材を、一時的に積んでおく置き場を管理する置き場管理装置のコンピュータを、
前記部材を積む置き場を示す情報と、処理予定期間とを対応付けて記憶する置き場情報記憶部、
前記部材を工程で処理する予定日である処理予定日が属する処理予定期間と対応付けて、前記置き場情報記憶部が記憶する情報が示す置き場を、前記部材を積む置き場をとする部材配置決定部
として動作させるためのプログラム。
【発明の詳細な説明】
【技術分野】
【０００１】
本発明は、置き場管理装置、置き場管理方法およびプログラムに関する。
【背景技術】
【０００２】
鉄鋼の厚板の生産するための工程には、オンライン工程と、オフライン工程とが混在している。オンライン工程は、その工程を実施するための生産設備がプレートを搬送する搬送装置で連結されている工程である。また、オフライン工程は、オンライン工程とは異なり、搬送装置で他の工程と連結されていない工程である。これらの工程を用いて、厚板を生産する際の生産計画の立案方法としては、生産工程の下流工程から上流工程に遡って作業日（作業順）を計画する。次に、この計画した作業順に基づき、上流工程から下流工程へと作業日を再計画する（例えば、特許文献１）。
【０００３】
また、オフライン工程で処理されるプレートは、前の工程で処理されてから、当該工程で処理されるまでの間は、山と呼ばれる置き場に一時的に積んでおく。この山は、プレートを重ねて積んだものであるため、取り出すときは、上から順に取り出すことになり、置くときには、既に積んであるものの上に積んでいくことになる。なお、オフライン工程で処理されたプレートをオンライン工程に戻す場合にも、オンライン工程に戻すまでの間、該プレートは、山に留め置くこともある。
従来、この山と呼ばれる置き場の管理方法としては、プレートの種類やサイズによって、該プレートを積む山を決めるなどの方法がとられていた。
【先行技術文献】
【特許文献】
【０００４】
【特許文献１】特開平０８−０１６６６２号公報
【発明の概要】
【発明が解決しようとする課題】
【０００５】
しかしながら、従来のような管理方法においては、特定の置き場に部材が集中してしまうことがあるなど、置き場のスペースを効率良く利用できないことがあるという問題がある。また、これにより、処理予定日の範囲内で処理することができないこともあり、立案した生産計画が達成できないという問題がある。
【０００６】
本発明は、このような事情に鑑みてなされたもので、その目的は、置き場のスペースを効率良く利用することにより、立案した生産計画を精度良く実行することができる置き場管理装置、置き場管理方法およびプログラムを提供することにある。
【課題を解決するための手段】
【０００７】
（１）この発明は上述した課題を解決するためになされたもので、本発明の一態様は、工程で処理する部材を、一時的に積んでおく置き場を管理する置き場管理装置であって、前記部材を積む置き場を示す情報と、処理予定期間とを対応付けて記憶する置き場情報記憶部と、前記部材を工程で処理する予定日である処理予定日が属する処理予定期間と対応付けて、前記置き場情報記憶部が記憶する情報が示す置き場を、前記部材を積む置き場とする部材配置決定部とを具備することを特徴とする。
【０００８】
（２）また、本発明の他の態様は、上述の置き場管理装置であって、置き場情報記憶部が記憶する処理予定期間のうち、最も遅い処理予定期間には期間の終端がなく、前記部材を工程で処理した結果、空の置き場が発生したときは、前記最も遅い処理予定期間に期間の終端を設定し、該設定した期間の終端以降を、前記空の置き場の処理予定期間として設定し、前記置き場情報記憶部に記憶させる処理予定期間更新部を具備することを特徴とする。
【０００９】
（３）また、本発明の他の態様は、上述の置き場管理装置であって、前記部材を示す情報と、該部材が積まれている置き場を示す情報とを対応付けて記憶する部材情報記憶部と、当日が属する処理予定期間と対応付けて前記置き場情報記憶部が記憶する置き場を示す情報を読み出し、該読み出した置き場を示す情報と対応付けて前記部材情報記憶部が記憶する情報が示す部材を、工程で処理する部材とする処理部材決定部とを具備することを特徴とする。
【００１０】
（４）また、本発明の他の態様は、上述の置き場管理装置であって、前記置き場の優先順位を外部から取得し、該優先順位に基づき、前記置き場各々の処理予定期間を決定し、前記置き場情報記憶部に記憶させる処理予定期間決定部を具備することを特徴とする。
【００１１】
（５）また、本発明の他の態様は、上述の置き場管理装置であって、優先して工程で処理すべき部材を示す優先処理情報を外部から取得する優先処理情報取得部を具備し、前記処理部材決定部は、前記部材情報を参照して、前記取得した優先処理情報が示す部材と対応付けられた置き場を示す情報を取得し、該置き場を示す情報と対応付けられた情報が示す部材を、工程で処理する部材とすることを特徴とする。
【００１２】
（６）また、本発明の他の態様は、工程で処理する部材を、一時的に積んでおく置き場を管理する置き場管理装置における置き場管理方法であって、前記置き場管理装置が、前記部材を工程で処理する予定日である処理予定日が属する処理予定期間と対応付けて、置き場情報記憶部が記憶する情報が示す置き場を、前記部材を積む置き場をとする第１の過程を有することを特徴とする。
【００１３】
（７）また、本発明の他の態様は、工程で処理する部材を、一時的に積んでおく置き場を管理する置き場管理装置のコンピュータを、前記部材を積む置き場を示す情報と、処理予定期間とを対応付けて記憶する置き場情報記憶部、前記部材を工程で処理する予定日である処理予定日が属する処理予定期間と対応付けて、前記置き場情報記憶部が記憶する情報が示す置き場を、前記部材を積む置き場をとする部材配置決定部として動作させるためのプログラムである。
【発明の効果】
【００１４】
この発明によれば、置き場のスペースを効率良く利用することができる。
【図面の簡単な説明】
【００１５】
【図１】この発明の一実施形態による生産管理システム１０の構成を示す概略ブロック図である。
【図２】同実施形態にかかる生産計画システム１１の構成示す概略ブロック図である。
【図３】同実施形態にかかる山管理システム１４の構成を示す概略ブロック図である。
【図４】同実施形態にかかる山情報記憶部４０４の記憶内容の例を示す図である。
【図５】同実施形態にかかるプレート情報記憶部４０５の記憶内容の例を示す図である。
【図６】同実施形態にかかるプレート降ろし情報記憶部４０８の記憶内容の例を示す図である。
【図７】同実施形態にかかる優先処理情報記憶部４０２の記憶内容の例を示す図である。
【図８】同実施形態にかかる山管理システム１４の動作を説明するフローチャートである。
【図９】同実施形態にかかる山管理システム１４の動作を説明するためのタイムチャートである。
【図１０】同実施形態にかかる山管理システム１４の動作を説明するための別のタイムチャートである。
【発明を実施するための形態】
【００１６】
以下、図面を参照して、本発明の実施の形態について説明する。本実施形態における生産管理システム１０は、鉄鋼の厚板の生産を管理する。図１は、この発明の一実施形態による生産管理システム１０の構成を示す概略ブロック図である。生産管理システム１０は、生産計画システム１１、ネットワーク１２、複数の設備管理システム１３、複数の山管理システム１４を含んで構成される。
【００１７】
生産計画システム１１は、受注内容などに基づき、厚板にする材料であるプレート(部材)各々を、各工程で処理するスケジュールを決定する。ネットワーク１２は、工場内などに敷設された場内ＬＡＮ（Local Area Network）であり、生産計画システム１１、設備管理システム１３、山管理システム１４を互いに通信可能に接続する。設備管理システム１３の各々は、工程を実施するための各設備を管理するシステムである。設備管理システム１３は、生産計画システム１１が決定したスケジュールに基づき、各プレートを処理する。設備管理システム１３は、当該工程の処理が終わったら山に溜め置くプレートについては、山に溜め置くためにプレートを搬送装置などから降ろす時刻と該プレートとを示すプレート降ろし情報を、溜め置く山を管理する山管理システム１４に通知する。
【００１８】
山管理システム１４（置き場管理装置）は、山を管理するシステムである。山管理システム１４の各々は、特定の工程で処理されるプレートを溜め置くための複数の山を管理する。山管理システム１４は、生産計画システム１１が決定したスケジュールと、設備管理システム１３から通知されたプレートを降ろす時刻とに基づき、各プレートの山への出し入れを管理する。
【００１９】
後述するように、本実施形態では、各山に、優先順位と処理予定日の範囲（処理予定期間）を対応付けておく。例えば、当日が３／８で山が４つあるときは、優先順位１番の山は３／９まで、優先順位２番の山は３／１０から３／１２まで、優先順位３番の山は３／１３から３／１５まで、そして、優先順位最下位の山は３／１６以降というように、処理予定期間を対応付けておく。そして、山にプレートを積むときは、該プレートの処理予定日が属する処理予定期間の山に積む。また、工程に処理させるプレートは、基本的に、優先順位１番の山から取り出す。なお、本実施形態において、山管理システム１４は、クレーンのオペレータに対して指示を出すことで山を管理するが、クレーンを直接制御することで山を管理するようにしてもよい。
【００２０】
図２は、生産計画システム１１の構成示す概略ブロック図である。生産計画システム１１は、操業情報受信部１０１、操業情報記憶部１０２、生産計画部１０３、生産計画情報記憶部１０４、処理予定日抽出部１０５、優先順位決定部１０６、優先処理決定部１０７、山情報記憶部１０８、生産計画送信部１０９を含んで構成される。操業情報受信部１０１は、設備管理システム１３から各工程の操業結果を示す操業情報を受信し、山管理システム１４から各プレートの山からの出し入れの実績を示す操業情報を受信し、これらの操業情報を操業情報記憶部１０２に記憶させる。操業情報記憶部１０２は、操業情報受信部１０１が受信した操業情報を記憶する。
【００２１】
生産計画部１０３は、外部から入力された受注情報ＡＯと、操業情報記憶部１０２が記憶する操業情報とに基づき、プレート各々を、各工程で処理するスケジュールを決定し、生産計画情報として生産計画情報記憶部１０４に記憶させる。生産計画部１０３は、前日の操業結果が反映された操業情報に基づき、毎日、スケジュールの決定を行う。また、急な納期変更などがあったときには、生産計画部１０３は、その時点で操業情報記憶部１０２が記憶する操業情報と、変更された受注情報ＡＯとに基づき、スケジュールの決定を行うこともできる。
処理予定日抽出部１０５は、各山管理システム１４について、該山管理システム１４が管理する山に溜め置かれているプレート各々の処理予定日を、生産計画情報記憶部１０４が記憶する生産計画情報から抽出する。
【００２２】
優先順位決定部１０６は、各山管理システム１４について、該山管理システム１４が管理する山の優先順位を決定する。優先順位には、例えば、優先順位１番には、〜３／３、２番には３／４〜３／６、３番には３／７〜３／９というように、互いに重複しないように処理予定日の範囲が対応付けられている。なお、優先順位１番に対応付けられている範囲は終了時期のみが決まっており、開始時期はない、また最下位の優先順位に対応付けられている範囲は開始時期のみが決まっており、終了時期はない。
【００２３】
優先順位決定部１０６は、操業情報を参照して、各山の優先順位を前回決定してから現在までに、優先順位１番の山が空になっていないときは、山情報記憶部１０８が記憶する前回決定した優先順位をそのまま用いる。また、優先順位決定部１０６は、優先順位１番の山が１度でも空になっているときは、各山の優先順位を１つずつ繰り上げる。すなわち、優先順位決定部１０６は、前回優先順位２番だった山を優先順位１番にし、前回優先順位３番だった山を優先順位２番にする。そして、優先順位決定部１０６は、前回優先順位１番だった山を、最下位の優先順位にする。
【００２４】
このとき、優先順位と、処理予定日の範囲との対応付けも変更する。すなわち、優先順位決定部１０６は、前回優先順位２番に対応付けられていた処理予定日の範囲を、優先順位１番に対応付け、前回優先順位３番に対応付けられていた処理予定日の範囲を、優先順位２番に対応付ける。優先順位決定部１０６は、同様にしていき、前回最下位の優先順位に対応付けられていた処理予定日の範囲に、終了時期を与えたものを、最下位より１つ上の優先順位に対応ける。優先順位決定部１０６は、この終了時期として、処理予定日の範囲の長さが予め設定された長さになるように与える。そして、優先順位決定部１０６は、最下位の優先順位には、最下位より１つ上の優先順位に対応付けられた範囲の終了時期の翌日以降を対応づける。また、納期変更などにより、特定の山に積まれたプレートを早く処理しなければならないときは、優先順位決定部１０６は、該山を優先順位１番とし、前記１番だった山から該山までについては、優先順位を１つずつ繰り下げる。優先順位決定部１０６は、このようにして決定した山と優先順位と処理予定日の範囲とを山情報記憶部１０８に記憶させる。
【００２５】
優先処理決定部１０７は、納期変更などにより、特定の山に積まれたプレートを早く処理しなければならないときは、該プレートの優先処理を指示する優先処理情報を生成する。このように、納期変更されたときの対応方法としては、優先処理決定部１０７が優先処理を指示する方法と、優先順位決定部１０６が山の優先順位を変更する方法とがあるが、納期変更されたときに、どちらを用いるかは、生産計画システム１１を操作するオペレータが判断する。例えば、オペレータは、生産計画システム１１に、各々の方法で生産計画を仮に立てさせ、その他の受注への影響を比較して、影響の小さい方を選択する。
【００２６】
山情報記憶部１０８は、各山の優先順位と、処理予定日の範囲とを対応付けて記憶する。生産計画送信部１０９は、処理予定日抽出部１０５が抽出した各プレートの処理予定日、優先順位決定部１０６が決定した各山の優先順位、優先処理決定部１０７が決定した優先処理するプレートを示す情報を、山管理システム１４に送信する。
【００２７】
図３は、山管理システム１４の構成を示す概略ブロック図である。山管理システム１４は、生産計画受信部４０１、優先処理情報記憶部４０２、処理予定期間決定部４０３、山情報記憶部４０４、プレート情報記憶部４０５、処理プレート決定部４０６、プレート降ろし情報受信部４０７、プレート降ろし情報記憶部４０８、プレート配置決定部４０９、オペレータインタフェース４１０を含んで構成される。
【００２８】
生産計画受信部４０１は、生産計画システム１１から各プレートの処理予定日、各山の優先順位、優先処理するプレートを示す情報を受信する。生産計画受信部４０１は、受信した各プレートの処理予定日を示す情報を、プレート情報記憶部４０５に記憶させる。生産計画受信部４０１は、受信した各山の優先順位を示す情報を処理予定期間決定部４０３に出力する。生産計画受信部４０１は、受信した優先処理するプレートを示す情報（優先処理情報）を、優先処理情報記憶部４０２に記憶させる。優先処理情報記憶部４０２は、生産計画受信部４０１が受信した優先処理情報を記憶する。優先処理情報記憶部４０２が記憶しているのは、優先処理情報のうち、処理が未済みの分のみである。
【００２９】
処理予定期間決定部４０３は、生産計画受信部４０１が受信した各山の優先順位と、プレート情報記憶部４０５が記憶するプレート情報とに基づき、各山の優先順位を決定し、山情報記憶部４０４に記憶させる。このとき、処理予定日の範囲と、優先順位との対応付けとは変更しない。例えば、変更前に、優先順位１番の山の処理予定日の範囲が〜３／３であれば、変更後の優先順位１番の山が他の山になったとしても、その山の処理予定日の範囲は〜３／３である。
【００３０】
処理予定期間決定部４０３は、基本的には、受信した各山の優先順位をそのまま用いる。ただし、処理予定期間決定部４０３は、生産計画受信部４０１が受信した情報において優先順位１番の山に、当日が処理予定日のプレートが無いときは、該山の優先順位を最下位とする。そして、処理予定期間決定部４０３は、その他の山については、優先順位を１つずつ繰り上げる。これは、生産計画を立てるときに生産計画システム１１が記憶している操業情報では、優先順位１番の山にプレートが残っていることになっているが、実際の状態は処理が進んでしまい、該山にプレートが残っていない場合に対応するためである。なお、処理予定期間決定部４０３は、生産計画受信部４０１が受信した情報において優先順位１番の山に、当日が処理予定日のプレートがあるか否かを判定する際に、プレート情報記憶部４０５を参照する。このプレート情報記憶部４０５は、生産計画受信部４０１が受信した各プレートの処理予定日を示す情報が反映されているプレート情報記憶部４０５である。
【００３１】
山情報記憶部４０４（置き場情報記憶部）は、各山を識別する山番号と、優先順位と、処理予定期間とを対応付けて記憶する。プレート情報記憶部４０５は、各プレートを識別するプレートＩＤと、該プレートが積まれている山の山番号と、該山における積順と、該プレートの処理予定日とを対応付けて記憶する。ここで、積順は、該山の下からの順番である。すなわち、積順の値が大きいほど、山の上の方に積まれており、積順の値が小さいほど、山の下の方に積まれていることを示す。
【００３２】
処理プレート決定部４０６（処理部材決定部）は、オペレータインタフェース４１０からの要求を受けて、山に積まれているプレートの中から、次に処理すべきプレートを決定する。具体的には、処理プレート決定部４０６は、まず、優先処理情報記憶部４０２を参照し、優先処理情報があるか否かを判定する。優先処理情報があるときは、処理プレート決定部４０６は、プレート情報記憶部４０５を参照して、優先処理情報に含まれるプレートＩＤと対応付けられた山番号を取得する。そして、処理プレート決定部４０６は、プレート情報記憶部４０５を参照して、該山番号に対応付けられたプレートＩＤのうち、積順が最も大きいプレートＩＤを取得し、該プレートＩＤを処理すべきプレートのプレートＩＤとして、オペレータインタフェースに通知する。これにより、優先処理で通知されたプレートが積まれた山のプレートを上から順に処理していく。そして、優先処理で通知されたプレートを処理して、該優先処理情報が削除されるまで、これを繰り返す。
【００３３】
一方、優先処理すべきプレートがないときは、処理プレート決定部４０６は、山情報記憶部４０４を参照し、優先順位が１番の山の山番号（すなわち、当日が属する処理予定期間と対応付けられた山番号）を取得する。次に、処理プレート決定部４０６は、プレート情報記憶部４０５を参照し、取得した山番号と対応付けられているプレートＩＤのうち、積順が最も大きいプレートＩＤを取得し、該プレートＩＤを処理すべきプレートのプレートＩＤとして、オペレータインタフェースに通知する。なお、積順が最も大きいということは、該山の一番上に積まれているということである。
【００３４】
プレート降ろし情報受信部４０７は、プレート降ろし情報を、前工程の設備管理システム１３から受信する。このプレート降ろし情報は、前工程の処理後に、当該山管理システム１４が管理する山に積むべきプレートのプレートＩＤと、該プレートを前工程から降ろすべき時刻と、該プレートの処理予定日とを含む。プレート降ろし情報受信部４０７は、受信したプレート降ろし情報を、プレート降ろし情報記憶部４０８に記憶させる。プレート降ろし情報記憶部４０８は、プレート降ろし情報を記憶する。なお、プレート降ろし情報記憶部４０８が記憶するプレート降ろし情報は、前工程から未だ降ろしていないプレートのプレート降ろし情報のみである。
【００３５】
プレート配置決定部４０９（部材配置決定部）は、オペレータインタフェース４１０からプレート降ろし情報を通知されると、山情報記憶部４０４を参照して、該プレート降ろし情報が示すプレートを配置すべき山を決定し、オペレータインタフェース４１０に通知する。具体的には、まず、プレート配置決定部４０９は、プレート降ろし情報に含まれる処理予定日を抽出する。そして、プレート配置決定部４０９は、抽出した処理予定日が属する処理予定期間と対応づけて、山情報記憶部４０４が記憶する山を、プレート降ろし情報で通知されたプレートを積む山とする。
【００３６】
オペレータインタフェース４１０は、オペレータに対して、クレーンによる作業の候補を通知する。この作業の候補には、山からプレートを取り出して工程に処理させる第１の作業と、前工程からプレートを降ろして山に積む第２の作業とを含む。オペレータインタフェース４１０は、第１の作業については、処理プレート決定部４０６に問い合わせて、次に取り出すべきプレートのプレートＩＤを取得する。また、第２の作業については、プレート降ろし情報記憶部４０８を参照して取得したプレート降ろし情報に基づき、プレート配置決定部４０９に問い合わせて、どの山に配置すべきかを取得する。
【００３７】
また、オペレータインタフェース４１０は、クレーンによる作業結果の示す情報を取得し、優先処理情報記憶部４０２、プレート情報記憶部４０５、プレート降ろし情報記憶部４０８に反映させる。操業情報通知部４１１は、例えば、１日５回決まった時刻になど、定期的に、プレート情報記憶部４０５が記憶するプレート情報を、操業情報として、生産計画システム１１に送信する。
【００３８】
処理予定期間更新部４１２は、プレート情報記憶部４０５と山情報記憶部４０４とを参照して、プレートを工程で処理した結果、空の山が発生したときは（完山ともいう）、該山の優先順位を最下位にし、その他の山の優先順位を１つずつ繰り上げる。さらに、処理予定期間更新部４１２は、優先順位１番となった山の処理予定日の範囲から開始日の条件を削除する。例えば、処理予定日の範囲が３／１から３／３であれば、開始日の条件なしの３／３までとする。
【００３９】
また、優先順位が最下位から１つ繰り上がった山の処理予定日の範囲、すなわち最も遅い処理予定日の範囲に、該範囲の開始日から予め設定された日数後の日を、期間の終端として設定する。例えば、処理予定日の範囲が３／１６以降であり、予め設定された日数が２日であれば、３／１６の２日後である３／１８を終了日とし、処理予定日の範囲を３／１６から３／１８とする。また、優先順位が最下位となった山の処理予定日の範囲を、最下位から１つ繰り上がった山の処理予定日の範囲の終了日の翌日からとする。例えば、最下位から１つ繰り上がった山の処理予定日の範囲の終了日が上述の３／１８であれば、処理予定日の範囲を、３／１９以降とする。
【００４０】
このようにして、処理予定日の範囲を設定するので、山情報記憶部４０４が記憶する処理予定日の範囲のうち、優先順位最下位に対応付けられている最も遅い処理予定日の範囲には、期間の終端がない。なお、優先順位が最下位から１つ繰り上がった山に処理予定日の範囲外のプレートが積まれているときは、該プレートを優先順位が最下位となった山に移動させるようにしてもよい。
【００４１】
図４は、山情報記憶部４０４の記憶内容の例を示す図である。山情報記憶部４０４は、山番号と、優先順位と、処理予定日の範囲とを対応づけた山情報を記憶する。図４に示す例では、山番号「Ｂ１」の山情報として、山番号「Ｂ１」と、優先順位「１」と、処理予定日の範囲「〜３／９」とを記憶する。同様にして、山番号「Ｂ２」の山情報として、山番号「Ｂ２」と、優先順位「２」と、処理予定日の範囲「３／１０〜３／１２」とを記憶する。山番号「Ｂ３」の山情報として、山番号「Ｂ３」と、優先順位「３」と、処理予定日の範囲「３／１３〜３／１５」とを記憶する。山番号「Ｂ４」の山情報として、山番号「Ｂ４」と、優先順位「４」と、処理予定日の範囲「３／１６〜３／１８」とを記憶する。山番号「Ｂ５」の山情報として、山番号「Ｂ５」と、優先順位「５」と、処理予定日の範囲「３／１９〜」とを記憶する。
【００４２】
図５は、プレート情報記憶部４０５の記憶内容の例を示す図である。プレート情報記憶部４０５は、プレートＩＤと、山番号と、積順と、処理予定日とを対応付けたプレート情報を記憶する。図５に示す例では、プレートＩＤ「３２１０１」のプレートのプレート情報として、プレートＩＤ「３２１０１」と、山番号「１」と、積順「１」と、処理予定日「３／９」とを記憶する。同様にして、プレートＩＤ「３２１０２」のプレートのプレート情報として、プレートＩＤ「３２１０２」と、山番号「１」と、積順「２」と、処理予定日「３／７」とを記憶する。プレートＩＤ「３２１０３」のプレートのプレート情報として、プレートＩＤ「３２１０３」と、山番号「１」と、積順「３」と、処理予定日「３／８」とを記憶する。
【００４３】
図６は、プレート降ろし情報記憶部４０８の記憶内容の例を示す図である。プレート降ろし情報記憶部４０８は、プレートＩＤと、処理予定日と、予定時刻とを対応付けたプレート降ろし情報を記憶する。図６に示す例では、予定時刻「１１：００」に前工程から降ろすべきプレートＩＤ「３３２０１」のプレートのプレート降ろし情報として、プレートＩＤ「３３２０１」と、処理予定日「３／９」と、予定時刻「１１：００」とを記憶する。同様にして、予定時刻「１５：００」に前工程から降ろすべきプレートＩＤ「３３２１３」のプレートのプレート降ろし情報として、プレートＩＤ「３３２１３」と、処理予定日「３／１０」と、予定時刻「１５：００」とを記憶する。予定時刻「１６：５０」に前工程から降ろすべきプレートＩＤ「３３１０６」のプレートのプレート降ろし情報として、プレートＩＤ「３３１０６」と、処理予定日「３／１０」と、予定時刻「１６：５０」とを記憶する。
【００４４】
図７は、優先処理情報記憶部４０２の記憶内容の例を示す図である。優先処理情報記憶部４０２は、プレートＩＤと、山番号と、積順とを対応付けた優先処理情報を記憶する。図７に示す例では、優先して処理すべきプレートＩＤ「３２２０２」のプレートの有線処理情報として、プレートＩＤ「３２２０２」と、山番号「３」と、積順「４」とを記憶する。
【００４５】
図８は、山管理システム１４の動作を説明するフローチャートである。山管理システム１４の生産計画受信部４０１は、生産計画システム１１からの受信があるときは（Ｓ１−Ｙｅｓ）、優先処理情報、優先順位、処理予定日などの情報を受信し、優先処理情報、処理予定日を記憶させる。処理予定期間決定部４０３は、受信した優先順位に基づき、各山の優先順位を決定し、山情報記憶部４０４に記憶させる（Ｓ２）。
【００４６】
次に、プレート降ろし情報受信部４０７は、設備管理システム１３からのプレート降ろし情報の受信があるときは（Ｓ３−Ｙｅｓ）、該プレート降ろし情報を、プレート降ろし情報記憶部４０８に記憶させる（Ｓ４）。次に、処理プレート決定部４０６は、オペレータインタフェース４１０からの要求に基づき、処理するプレートを決定する（Ｓ５）。また、プレート配置決定部４０９は、オペレータインタフェース４１０からの要求に基づき、前工程からプレートを降ろしたときに配置する山を決定する（Ｓ６）。オペレータインタフェース４１０は、ステップＳ５、Ｓ６の結果に基づき、作業候補を表示して、オペレータに通知する（Ｓ７）。オペレータインタフェース４１０は、オペレータによる作業選択の結果を受けるとともに（Ｓ８）、作業結果を示す情報を取得し、山情報記憶部４０４が記憶する山情報を更新する（Ｓ９）。なお、作業結果を示す情報は、オペレータが入力するようにしてもよいし、オペレータがクレーンの制御装置を操作すると、該制御装置が該操作による作業結果を出力するようにしてもよい。
【００４７】
ステップＳ９の山情報の更新の結果、完山した山があるときは（Ｓ１０−Ｙｅｓ）、処理予定期間更新部４１２は、山情報記憶部４０４が記憶する山情報に対して、各山の優先順位の更新と、優先順位１番と最下位の山の処理予定日の範囲（処理予定期間）の更新を行う（Ｓ１１）。
現在時刻が、操業情報の通知時刻であるときは（Ｓ１２−Ｙｅｓ）、操業情報通知部４１１は、プレート情報記憶部４０５が記憶するプレート情報を、操業情報として、生産計画システム１１に送信する（Ｓ１３）。当該日の終業になったときは（Ｓ１４−Ｙｅｓ）、処理を終了するが、操業を継続するときは、ステップＳ１に戻る。
【００４８】
図９は、山管理システム１４の動作を説明するためのタイムチャートである。図９において、横軸は時間である。図中のＢ１、Ｂ２、Ｂ５を付した矩形は、それぞれ山番号Ｂ１、Ｂ２、Ｂ５のプレートが処理される期間を示す。すなわち、山番号Ｂ１、Ｂ２、Ｂ５の山が優先順位１番である期間を示す。なお、ここでは、図９の時間軸の起点が３／８であるとする。また、そのとき、山番号Ｂ１の処理予定期間は「〜３／９」であり、山番号Ｂ２の処理予定期間は「３／１０〜３／１２」であり、山番号Ｂ３の処理予定期間は「３／１３〜３／１５」であり、山番号Ｂ４の処理予定期間は「３／１６〜３／１８」であり、山番号Ｂ５の処理予定期間は「３／１９〜」であったとする。
【００４９】
この場合、納期変更などがなければ、３／９までの間に、山番号Ｂ１のプレートが処理されて完山になれば、それ以降は、山番号Ｂ２が優先順位１番となる。そして、山番号Ｂ５の処理予定期間は「３／１９〜３／２１」となる。同様に、３／１２までの間に山番号Ｂ２のプレートが処理されて完山になれば、それ以降は、山番号Ｂ３が優先順位１番となる。つまり、例えば、山番号Ｂ２の山に積まれたプレートは、山番号Ｂ１の完山後から３／１２の間に処理される。このとき、山番号Ｂ２の山に積まれたプレートは、処理予定日が３／１０〜３／１２のプレートである。したがって、これらのプレートは、処理予定日から大きくはずれることなく、処理されることになる。
【００５０】
図１０は、山管理システム１４の動作を説明するための別のタイムチャートである。図１０においも、横軸は時間である。図中のＢ１、Ｂ２、Ｂ３、Ｂ４を付した矩形は、それぞれ山番号Ｂ１、Ｂ２、Ｂ３、Ｂ４のプレートが処理される期間を示す。また、符号Ａ１〜Ａ３は、それぞれ３／１０、３／１１、３／１４の操業開始時に、生産計画システム１１から送信された優先順位を示す。図１０も、図９と前提条件は同じである。ただし、３／１１の操業開始時に、生産計画システム１１が、山番号Ｂ４を優先順位１番に設定した点が異なる。このようなことは、例えば、３／１０までの間に山番号Ｂ４に積まれたプレートの処理予定日が、納期変更などにより早まった場合に起こる。
【００５１】
３／１０に送信された優先順位Ａ１では、優先順位１番なのは山番号Ｂ２であるので、３／１０は、山番号Ｂ２の山に積まれたプレートが処理される。３／１１に送信された優先順位Ａ２では、山番号Ｂ２は優先順位２番となり、優先順位１番なのは山番号Ｂ４である。このため、山番号Ｂ２の山は未だ完山していないが、３／１１からは山番号Ｂ４の山に積まれたプレートが処理される。そして、例えば、３／１３に山番号Ｂ４の山が完山となると、それ以降は、それまで優先順位２番であった山番号Ｂ２の山に積まれたプレートが処理される。３／１４に送信された優先順位Ａ３では、優先順位１番になるのは山番号Ｂ２であるので、３／１４以降も、完山するまで山番号Ｂ２の山に積まれたプレートが処理される。
【００５２】
このようにすることで、各プレートは、その処理予定日に応じた山に積まれるので、特定の山にプレートが集中してしまうことを防ぎことができる。よって、山のスペースを効率良く利用することができる。
また、各山の積まれるプレートは、該山の処理予定日の範囲内のものとなるので、処理すべきプレートが山の下の方にあっても、該山の処理予定日の範囲内で処理することができる。よって、プレートが山の下の方にあったときに、プレートの処理予定日を過ぎてもなかなか処理できないということがない。
【００５３】
また、図１における生産計画システム１１、設備管理システム１３、山管理システム１４各々あるいはその一部の機能を実現するためのプログラムをコンピュータ読み取り可能な記録媒体に記録して、この記録媒体に記録されたプログラムをコンピュータシステムに読み込ませ、実行することにより各システムを実現してもよい。なお、ここでいう「コンピュータシステム」とは、ＯＳや周辺機器等のハードウェアを含むものとする。
【００５４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５６】
１０…生産管理システム
１１…生産計画システム
１２…ネットワーク
１３…設備管理システム
１４…山管理システム
１０１…操業情報受信部
１０２…操業情報記憶部
１０３…生産計画部
１０４…生産計画情報記憶部
１０５…処理予定日抽出部
１０６…優先順位決定部
１０７…優先処理決定部
１０８…山情報記憶部
１０９…生産計画送信部
４０１…生産計画受信部
４０２…優先処理情報記憶部
４０３…処理予定期間決定部
４０４…山情報記憶部
４０５…プレート情報記憶部
４０６…処理プレート決定部
４０７…プレート降ろし情報受信部
４０８…プレート降ろし情報記憶部
４０９…プレート配置決定部
４１０…オペレータインタフェース
【図１】
2013242722.tif 000003
【図２】
2013242722.tif 000004
【図３】
2013242722.tif 000005
【図４】
2013242722.tif 000006
【図５】
2013242722.tif 000007
【図６】
2013242722.tif 000008
【図７】
2013242722.tif 000009
【図８】
2013242722.tif 000010
【図９】
2013242722.tif 000011
【図１０】
2013242722.tif 000012